(57)【特許請求の範囲】
【請求項１】
トイレルーム内の空気を吸引する送風部と、
前記送風部によって吸引された前記空気が通過する脱臭フィルターと、
前記脱臭フィルターに水を供給する第１吐水部と、
前記脱臭フィルターを洗浄した水が排出される排出流路と、
前記第１吐水部とは別に設けられ、前記排出流路に水を供給する第２吐水部と、
上方へ向けて水を吐出する洗浄ノズルと、
前記洗浄ノズルの胴体の洗浄を行う胴体洗浄部と、
を備え、
前記胴体洗浄部は、ケースプレートの左右方向の中央に設けられ、
前記第２吐水部は、前記胴体洗浄部に設けられ、
前記排出流路は、
前記ケースプレートに設けられ、
前記ケースプレートにおいて、前記胴体洗浄部が設置される位置に隣接するように設けられた排出用孔を有し、
前記第２吐水部から吐出され、前記洗浄ノズルの前記胴体の洗浄に使用された水は、前記排出流路を流れ、前記排出用孔から排出される
衛生洗浄装置。  
【請求項２】
トイレルーム内の空気を吸引する送風部と、
前記送風部によって吸引された前記空気が通過する脱臭フィルターと、
前記脱臭フィルターに水を供給する第１吐水部と、
前記脱臭フィルターを洗浄した水が排出される排出流路と、
前記第１吐水部とは別に設けられ、前記排出流路に水を供給する第２吐水部と、
上方へ向けて水を吐出する洗浄ノズルと、
前記洗浄ノズルの胴体の洗浄を行う胴体洗浄部と、
を備え、
前記胴体洗浄部は、ケースプレートの左右方向の中央に設けられ、
前記第２吐水部は、前記洗浄ノズルに設けられ、
前記排出流路は、
前記ケースプレートに設けられ、
前記ケースプレートにおいて、前記胴体洗浄部が設置される位置に隣接するように設けられた排出用孔を有し、
前記第２吐水部は、前記胴体洗浄部の中に収容された状態で水を吐出することで前記洗浄ノズルを洗浄し、
前記第２吐水部から吐出され、前記洗浄ノズルの洗浄に使用された水は、前記排出流路を流れ、前記排出用孔から排出される
衛生洗浄装置。  
【請求項３】
前記第１吐水部から供給される水は、水を電気分解することで生成される機能水である
請求項１又は２に記載の衛生洗浄装置。  
【請求項４】
前記第２吐水部から供給される水は、水を電気分解することで生成される機能水である
請求項１乃至３の何れか１項に記載の衛生洗浄装置。  
【請求項５】
前記脱臭フィルターを洗浄した水が前記排出流路へ排出されると同時に、又は、前記脱臭フィルターを洗浄した水が前記排出流路へ排出された後に、第２吐水部は、前記排出流路に水を供給する
請求項１乃至４の何れか１項に記載の衛生洗浄装置。
【請求項６】
ボウル部が設けられた大便器に設置され、
前記排出流路へ排出された水は、大便器のボウル部へ排出される
請求項１乃至５の何れか１項に記載の衛生洗浄装置。
【発明の詳細な説明】
【技術分野】
【０００１】
本発明の態様は、トイレルームに設置される衛生洗浄装置に関する。
【背景技術】
【０００２】
近年、便器内の空気を洗浄するために、脱臭機能を備えた衛生洗浄装置が普及している。
【０００３】
特許文献１では、便器内の臭気を吸引する吸気装置を備えた水洗トイレの脱臭殺菌装置が記載されている。便器内の臭気は、臭気通路を通って吸引される。この臭気通路には、電解水、即ち殺菌水が含浸されたフィルターが設けられている。臭気がフィルターを通過するときに、悪臭成分は、含浸させた殺菌水によって吸収又は分解される。フィルターに吸着された悪臭成分を殺菌水により吸収又は分解した後は、新たな殺菌水がフィルターに供給され、フィルターを洗浄する。
【先行技術文献】
【特許文献】
【０００４】
【特許文献１】特開２０００−１２９７４７号公報
【発明の概要】
【発明が解決しようとする課題】
【０００５】
しかしながら、特許文献１に記載された水洗トイレの脱臭殺菌装置は、便器内の悪臭成分を吸収又は分解する一方で、トイレルーム内に常在する臭気を吸収又は分解するわけではない。よって、使用者は、トイレルームに入室する度に、トイレルーム内に常在する臭気を吸うことになるため、不快感を感じるという問題がある。
【０００６】
また、特許文献１に記載された水洗トイレの脱臭殺菌装置においては、殺菌水により吸収又は分解できなかった悪臭成分がフィルターに残った場合に、この悪臭成分が、フィルターを洗浄し臭気通路へ流れる水の中へ混入する可能性がある。よって、臭気通路に流れた水が乾燥すると、水が乾燥した臭気通路の出口部分から臭いが発生することがある。そのため、使用者が不快感を感じるという問題がある。
【０００７】
本発明は、かかる課題の認識に基づいてなされたものであり、トイレルーム内に常在する臭気に含まれた悪臭成分を捕集又は分解することで、且つ、水が乾燥した排出流路の出口部分から臭いが発生することを防ぐことで、使用者が不快感を感じることを防ぐ衛生洗浄装置を提供することを目的とする。
【課題を解決するための手段】
【０００８】
第１の発明は、トイレルーム内の空気を吸引する送風部と、前記送風部によって吸引された前記空気が通過する脱臭フィルターと、前記脱臭フィルターに水を供給する第１吐水部と、前記脱臭フィルターを洗浄した水が排出される排出流路と、前記第１吐水部とは別に設けられ、前記排出流路に水を供給する第２吐水部と、上方へ向けて水を吐出する洗浄ノズルと、前記洗浄ノズルの胴体の洗浄を行う胴体洗浄部と、を備え、前記胴体洗浄部は、ケースプレートの左右方向の中央に設けられ、前記第２吐水部は、前記胴体洗浄部に設けられ、前記排出流路は、前記ケースプレートに設けられ、前記ケースプレートにおいて、前記胴体洗浄部が設置される位置に隣接するように設けられた排出用孔を有し、前記第２吐水部から吐出され、前記洗浄ノズルの前記胴体の洗浄に使用された水は、前記排出流路を流れ、前記排出用孔から排出される衛生洗浄装置である。
この衛生洗浄装置によれば、脱臭フィルターに供給された水によって、送風部によって吸引又は排出されたトイレルーム内の空気に含まれる悪臭成分を捕集できる。また、脱臭フィルターを洗浄した水が排出される排出流路を、第１吐水部とは別の第２吐水部によって、洗浄することができる。よって、トイレルーム内に常在する臭気を捕集すること、且つ、水が乾燥した排出流路の出口部分から臭いが発生することを防ぐこと、ができ、使用者が不快感を感じることを防ぐことができる。また、この衛生洗浄装置によれば、排出流路へ水を供給する第２吐水部は、洗浄ノズルの胴体の洗浄を行う胴体洗浄部に設けられている。そのため、排出流路へ水を供給するための吐水部を新たに設ける必要がない。
【０００９】
第２の発明は、トイレルーム内の空気を吸引する送風部と、前記送風部によって吸引された前記空気が通過する脱臭フィルターと、前記脱臭フィルターに水を供給する第１吐水部と、前記脱臭フィルターを洗浄した水が排出される排出流路と、前記第１吐水部とは別に設けられ、前記排出流路に水を供給する第２吐水部と、上方へ向けて水を吐出する洗浄ノズルと、前記洗浄ノズルの胴体の洗浄を行う胴体洗浄部と、を備え、前記胴体洗浄部は、ケースプレートの左右方向の中央に設けられ、前記第２吐水部は、前記洗浄ノズルに設けられ、前記排出流路は、前記ケースプレートに設けられ、前記ケースプレートにおいて、前記胴体洗浄部が設置される位置に隣接するように設けられた排出用孔を有し、前記第２吐水部は、前記胴体洗浄部の中に収容された状態で水を吐出することで前記洗浄ノズルを洗浄し、前記第２吐水部から吐出され、前記洗浄ノズルの洗浄に使用された水は、前記排出流路を流れ、前記排出用孔から排出される衛生洗浄装置である。
この衛生洗浄装置によれば、脱臭フィルターに供給された水によって、送風部によって吸引又は排出されたトイレルーム内の空気に含まれる悪臭成分を捕集できる。また、脱臭フィルターを洗浄した水が排出される排出流路を、第１吐水部とは別の第２吐水部によって、洗浄することができる。よって、トイレルーム内に常在する臭気を捕集すること、且つ、水が乾燥した排出流路の出口部分から臭いが発生することを防ぐこと、ができ、使用者が不快感を感じることを防ぐことができる。また、この衛生洗浄装置によれば、排出流路へ水を供給する第２吐水部は、上方へ向けて水を吐出する洗浄ノズルに設けられている。そのため、排出流路へ水を供給するための吐水部を新たに設ける必要がない。
【００１０】
第３の発明は、第１又は２の発明において、前記第１吐水部から供給される水は、水を電気分解することで生成される機能水である衛生洗浄装置である。
この衛生洗浄装置によれば、脱臭フィルターに供給された機能水が、送風部によって吸引又は排出されたトイレルーム内の空気に含まれる悪臭成分を捕集及び分解することできるため、より排出流路から臭いが発生することを防ぐことができる。
【００１１】
第４の発明は、第１乃至３の何れか１つの発明において、前記第２吐水部から供給される水は、水を電気分解することで生成される機能水である衛生洗浄装置である。
この衛生洗浄装置によれば、第２吐水部から排出流路へ供給される機能水によって、排出流路に付着した悪臭成分を捕集及び分解することできるため、より排出流路から臭いが発生することを防ぐことができる。
【００１３】
第５の発明は、第１乃至４の何れか１つにおいて、前記脱臭フィルターを洗浄した水が前記排出流路へ排出されると同時に、又は、前記脱臭フィルターを洗浄した水が前記排出流路へ排出された後に、第２吐水部は、前記排出流路に水を供給する衛生洗浄装置である。  
この衛生洗浄装置によれば、第２吐水部から排出流路に水が供給されるため、排出流路に悪臭成分が付着しにくくなり、より排出流路から臭いが発生することを防ぐことができる。
【００１４】
第６の発明は、第１乃至５の何れか１つの発明において、ボウル部が設けられた大便器に設置され、前記排出流路へ排出された水は、前記ボウル部へ排出される衛生洗浄装置である。
この衛生洗浄装置によれば、排出流路へ排出された水は、大便器のボウル部へ排出されるため、大便器の便器洗浄を行うことで、排出流路へ排出された水を、定期的に下水管に排水できる。
【発明の効果】
【００１５】
本発明の態様によれば、トイレルーム内に常在する臭気に含まれた悪臭成分を捕集又は分解することで、且つ、水が乾燥した排出流路の出口部分から臭いが発生することを防ぐことで、使用者が不快感を感じることを防ぐ衛生洗浄装置が提供される。
【図面の簡単な説明】
【００１６】
【図１】本発明の一実施形態に係る衛生洗浄装置が設置されたトイレルームを示す模式的斜視図である。
【図２】図１の衛生洗浄装置を示す模式的斜視図である。
【図３】本発明の一実施形態に係る洗浄水供給装置及び脱臭装置を示すブロック図である。
【図４】本発明の一実施形態に係る脱臭装置を示す模式的斜視図である。
【図５】図４の脱臭装置を示す模式的平面図である。
【図６】図４の脱臭装置を示す模式的正面図である。
【図７】図４の脱臭装置を示す模式的側面図である。
【図８】図１の衛生洗浄装置の内部を表す模式的平面図である。
【図９】図４の脱臭装置の脱臭動作におけるタイミングチャートである。
【図１０】図４の脱臭装置の脱臭動作における他のタイミングチャートである。
【発明を実施するための形態】
【００１７】
以下、本発明の実施の形態について図面を参照しつつ説明する。なお、各図面中、同様の構成要素には同一の符号を付して詳細な説明は適宜省略する。  
【００１８】
（衛生洗浄装置１及びそれを備えた大便器２について）
図１は、本発明の一実施形態に係る衛生洗浄装置が設置されたトイレルームを示す模式的斜視図である。  
図２は、図１の衛生洗浄装置を示す模式的斜視図である。  
なお、図１および図２では、衛生洗浄装置は、大便器に設けられている。  
まず、図１及び図２を用いて、本発明の一実施形態に係る衛生洗浄装置１について説明する。
【００１９】
図１に示すように、トイレルーム１００には水洗式の大便器２が設置されている。大便器２には、便座（図示せず）と、便蓋４と、機能部６と、を備えた衛生洗浄装置１が載置されている。
【００２０】
図２に示すように、機能部６は、ケースプレート８と、ケースカバー１０と、洗浄水供給装置１２（図３に記載）と、洗浄ノズル１４と、脱臭装置１６と、制御部１８と、を有する。ケースプレート８は、大便器２の正面（前方）からみて、大便器２に設けられたボウル部２０より後方に載置されている。ケースプレート８には、洗浄水供給装置１２と、洗浄ノズル１４と、脱臭装置１６と、制御部１８と、が載置されている。ケースカバー１０は、洗浄水供給装置１２と、洗浄ノズル１４と、脱臭装置１６と、制御部１８と、を覆うように、ケースプレート８と固定される。
【００２１】
洗浄ノズル１４は、ボウル部２０に向かって進出可能に設けられている。この洗浄ノズル１４については、後に詳述する。
【００２２】
脱臭装置１６は、大便器２の正面からみて、ケースプレート８の後方左側に設置されている。図２に表した矢印Ａ１のように、脱臭装置１６は、大便器２の正面からみて、ケースカバー１０の後方に設けられた吸気口部（図示せず）から、トイレルーム１００内の空気を吸い込む。吸気口部から吸い込まれた空気に含まれる悪臭成分は、脱臭装置１６によって捕集又は分解される。なお、本発明の一実施形態における「悪臭成分」は、アンモニア成分を含む。この悪臭成分は、尿がトイレルーム１００の床や壁などに付着してしまった際に、付着面から発生するものである。図２に表した矢印Ａ２のように、脱臭装置１６によって悪臭成分が捕集又は分解された空気は、大便器２の正面からみて、ケースカバー１０の左側に設けられた排気口部２２から、トイレルーム１００へ吐き出される。この脱臭装置１６については、後に詳述する。
【００２３】
制御部１８は、ＩＣ素子を含んだ制御回路であり、洗浄水供給装置１２、洗浄ノズル１４、及び、脱臭装置１６の、それぞれの動作を電気的に制御する。この制御部１８は、金属製の筺体としての制御部カバー（図示せず）によって覆われている。
【００２４】
（洗浄水供給装置１２及び脱臭装置１６による脱臭動作について）
図３は、本発明の一実施形態に係る洗浄水供給装置及び脱臭装置を示すブロック図である。  
図４は、本発明の一実施形態に係る脱臭装置を示す模式的斜視図である。  
図５は、図４の脱臭装置を示す模式的平面図である。  
図６は、図４の脱臭装置を示す模式的正面図である。  
図７は、図４の脱臭装置を示す模式的側面図である。  
なお、図５は、本実施形態の脱臭装置を図４に表した矢印Ａ５の方向にみたときの模式的平面図である。図６は、本実施形態の脱臭装置を図４に表した矢印Ａ６の方向にみたときの模式的平面図である。図７は、本実施形態の脱臭装置を図４に表した矢印Ａ７の方向にみたときの模式的平面図である。  
図３〜７を用いて、本発明の一実施形態に係る洗浄水供給装置１２及び脱臭装置１６について説明する。
【００２５】
図３に示すように、洗浄水供給装置１２は、流路開閉弁２４と、瞬間加熱式の熱交換器２６と、電解槽２８と、大気解放式のバキュームブレーカー３０と、洗浄ノズル１４へ通じる第１流路３２と、脱臭装置１６へ通じる第２流路３４と、電磁ポンプ３６と、流調・流路切替弁３８と、を有する。なお、洗浄水供給装置１２は、必ずしも熱交換器２６を有していなくともよい。外部から供給された水は、流路開閉弁２４が開いたときに、熱交換器２６を通過し、電解槽２８へ送られる。電解槽２８の内部には、２つの電極（図示せず）が設けられている。電解槽２８へ送られてきた水は、電解槽２８の内部において電気分解される。外部から供給されてきた水には、塩素（Ｃｌ２）が含まれているため、水が電気分解されると、以下のような式の反応が起こる。
Ｃｌ２＋Ｈ２Ｏ  →  ＨＣｌＯ＋Ｈ＋＋Ｃｌ−    ・・・（１）
（１）式に示すように、電解槽２８によって電気分解された水は、次亜塩素酸（ＨＣｌＯ）を含んだ洗浄水（以下、「機能水」とする）となる。
【００２６】
電解槽２８によって生成された機能水は、第１流路３２又は第２流路３４へ流れる。第１流路３２へ流れた機能水は、電磁ポンプ３６によって、洗浄ノズル１４へ送られる。洗浄ノズル１４は、吐水部１５（第２吐水部）を有する。例えば、吐水部１５は、おしり洗浄吐水孔１５ａと、おしりソフト吐水孔１５ｂと、ビデ洗浄吐水孔１５ｃと、ワイドビデ洗浄吐水孔１５ｄと、を有する。但し、吐水部１５が有する吐水孔は、これだけには限定されない。洗浄ノズル１４へ送られた機能水は、吐水部１５から上方に向かって吐出される。吐水部１５から吐出された機能水は、大便器２の使用者の局部洗浄などに用いられる。また、電磁ポンプ３６と洗浄ノズル１４との間には、流調・流路切替弁３８が設けられている。この流調・流路切替弁３８を動作させることで、洗浄ノズル１４から吐出する機能水の、吐水流量、吐水角度、吐水範囲などを変更できる。また、流調・流路切替弁３８を動作させることで、機能水をノズル洗浄室（胴体洗浄部）４０に送ることができる。ノズル洗浄室４０は、吐水部４１（第２吐水部）を有する。ノズル洗浄室４０は、吐水部４１から機能水が吐出することで、洗浄ノズル１４の外面の洗浄、即ち胴体洗浄を行う。第２流路３４へ流れた機能水は、脱臭装置１６へ送られる。
【００２７】
図３〜７に示すように、脱臭装置１６は、集塵フィルター４４と、ファン（送風部）４６と、脱臭フィルター４８と、噴霧部（第１吐水部）５０と、水受け部５２と、を有している。水受け部５２は、吸気口４２と、排気口５４と、を有する。吸気口４２は、吸気口部に設置されている。排気口５４は、排気口部２２に設置されている。ファン４６は、例えば樹脂製のシロッコファンである。ファン４６は、内部に設けられた複数の羽が回転することで、吸気口４２からトイレルーム１００内の空気を吸い込み、排気口５４からトイレルーム１００へ、吸い込んだ空気を吐き出す。なお、ファン４６は、シロッコファンには限定されない。
【００２８】
集塵フィルター４４は、吸気口４２の部分に設置されている。この集塵フィルター４４は、吸い込まれる空気の中の塵や埃などが、ファン４６へ送られることを防ぐ。脱臭フィルター４８は、例えば編目形状のステンレス製の部材である。後述するように、噴霧部５０によって、機能水が脱臭フィルター４８に噴霧される。この脱臭フィルター４８は、ファン４６と排気口５４との間、即ちファン４６の下流側に設けられている。言い換えれば、ファン４６は、噴霧部５０によって機能水が噴霧された脱臭フィルター４８よりも上流側に設置される。そのため、湿気を含んだ空気が脱臭フィルター４８から電気機器のファン４６へ送られることがない。よって、湿気により、ファン４６が故障することを防ぐことができる。また、ファン４６から排出された空気は、脱臭フィルター４８を通過する。そのため、ファン４６が作動する前に衛生洗浄装置１の内部に溜まった空気は、必ず脱臭フィルター４８を通過し、悪臭成分が捕集された後にトイレルーム１００へ排出されることとなる。よって、ファン４６を作動させた際に、衛生洗浄装置１の内部に溜まった空気が悪臭成分を捕集又は分解されずにトイレルーム１００へ排出されることを防ぐことができる。さらに、脱臭フィルター４８は、使用者の操作によって、排気口５４から自由に取り出し可能とされている。このことより、脱臭フィルター４８の清掃性が向上する。噴霧部５０は、電磁弁を有し、脱臭フィルター４８より上方に位置する。一方、第２流路３４へ流れた機能水は、噴霧部５０へ送られる。
【００２９】
図７に示すように、噴霧部５０が制御部１８によって開弁動作したとき、脱臭フィルター４８の上方から、脱臭フィルター４８に向けて、約５秒間程度、機能水が噴霧される。機能水は、噴霧部５０を頂点に円錐状に、広がりながら噴霧される。このときの、噴霧される機能水の広がり角度θは、約１１０度程度である。また、ファン４６と噴霧部５０との間において、脱臭装置１６の上面内壁には、下方に向かって突出している立壁部６４が設けられている。この立壁部６４によって、電気機器であるファン４６に、噴霧部５０から噴霧された機能水が飛び散ってしまうことを防ぐことができる。
【００３０】
脱臭フィルター４８に向けて機能水が噴霧されると、脱臭フィルター４８は機能水を保水する。その際に、ファン４６を作動させ、吸気口４２から吸引されたトイレルーム１００内の空気が、脱臭フィルター４８内を通過すると、空気の中に含まれる悪臭成分が機能水に取り込まれる。機能水に取り込まれた悪臭成分は、機能水に含まれる次亜塩素酸によって、以下の式のように分解される。
ＨＣｌＯ＋ＮＨ３  →  ＮＨ２Ｃｌ＋Ｈ２Ｏ    ・・・（２）
（２）式に示すように、アンモニア（ＮＨ３）は、次亜塩素酸（ＨＣｌＯ）と反応することで、モノクロラミン（ＮＨ２Ｃｌ）と水（Ｈ２Ｏ）に変わる。モノクロラミンの臭いは、塩素と同じカルキ臭である。この臭いによって、使用者は清潔感を感じることができる。また、分解されずに残った悪臭成分も、機能水内に捕集されるため、空気へ戻ることはない。その結果、脱臭フィルター４８内を通過した空気は、悪臭成分が取り除かれる。悪臭成分が取り除かれた空気は、排気口５４からトイレルーム１００へ排出される。このように、脱臭装置１６は、トイレルーム１００内に常在する悪臭成分を捕集又は分解することができる。よって、使用者は、トイレルーム１００に入室する度に、トイレルーム１００内に常在する悪臭成分による臭気を吸うことがなくなり、快適にトイレを利用できる。
【００３１】
図７に示すように、ファン４６から排出された空気は、脱臭フィルター４８の上方から下方に向かって、脱臭フィルター４８を通過する。このことより、脱臭フィルター４８の中に溜まったスケールや塵などの滞留物を、ファン４６から排出された空気、及び、滞留物自身の重さによって、水受け部５２に払い落とすことができるため、脱臭フィルター４８に滞留物が溜まりにくくなる。
【００３２】
本発明の一実施形態において、脱臭フィルター４８の最大保水量は約１０グラム（ｇ）程度である。一方、この脱臭フィルター４８を洗浄する際には、噴霧部５０は、脱臭フィルター４８に向けて、機能水を約１００ｇ程度噴霧する。つまり、噴霧部５０は、脱臭フィルター４８の最大保水量よりも多い水を噴霧することで、脱臭フィルター４８を洗浄することができる。このことにより、機能水の噴霧より前に、脱臭フィルター４８に保水された機能水が捕集した悪臭成分を、洗い流すことができる。洗い流しに利用した機能水は、脱臭フィルター４８より下方に位置する水受け部５２に流れる。
【００３３】
図６に示すように、水受け部５２は、ケースプレート８に向かって開口している排水口５６を有している。水受け部５２の底面は、排水口５６に向かって傾斜している。このことにより、図６に表した矢印Ａ１１のように、水受け部５２へ流れた機能水は、水受け部５２の底面に溜まることなく、排水口５６に向かって流れることとなる。  
一方で、図６に表した矢印Ａ１３のように、悪臭成分を取り除かれ脱臭フィルター４８を通過した空気は、排気口５４から排出される。
【００３４】
図８は、図１の衛生洗浄装置の内部を表す模式的平面図である。
図８を用いて、本発明の一実施形態に係る洗浄水供給装置１２及び脱臭装置１６についてさらに説明する。
【００３５】
図８に示すように、ケースプレート８は、その上面に、上方へ向かって突設したリブ５８が設けられた排出流路６０を有する。排出流路６０は、ノズル洗浄室４０が設置される位置に隣接するように設けられたボウル部排出用孔６２を有している。ボウル部排出用孔６２は、ケースプレート８の前方部に設けられている。リブ５８は、排水口５６から排出された機能水を、ボウル部排出用孔６２へ導くように、線状に設けられている。
【００３６】
排出流路６０は、前方に向かって下方へ傾斜している。このことにより、図８に表した矢印Ａ２１〜矢印２７のように、排水口５６から排出された機能水は、重力に従って、前方に向かって排出流路６０を流れやすくなる。よって、より容易に、排水口５６から排出された機能水を、ボウル部排出用孔６２へ導くことができる。
【００３７】
ボウル部排出用孔６２へ導かれた機能水は、大便器２のボウル部２０へ排出される。このことにより、脱臭フィルター４８の洗浄に利用した機能水であって、悪臭成分が捕集された機能水は、水による洗浄が頻繁に行われるボウル部２０へ排出される。よって、機能水が付着した部位が乾いて臭いが発生することがなく、使用者が不快感を感じることを防ぐことができる。
【００３８】
ボウル部排出用孔６２は、ノズル洗浄室４０を設置する位置に隣接している。よって、ノズル洗浄室４０が洗浄ノズル１４の胴体洗浄を行った際に、洗浄ノズル１４の胴体洗浄に利用した機能水は、排出流路６０の一部を流れボウル部排出用孔６２からボウル部２０へ排出される。つまり、洗浄ノズル１４の胴体洗浄に利用した機能水は、水受け部５２の排水口５６から排出された機能水が流れる排出流路６０の一部を流れる。その結果、排出流路６０の一部およびボウル部排出用孔６２は、洗浄ノズル１４の胴体洗浄を行った水により洗浄される。これにより、悪臭成分を捕集した機能水が乾いた後に排出流路６０およびボウル部排出用孔６２から臭いが発生することを防ぐことができ、使用者が不快感を感じることを防ぐことができる。
【００３９】
また、洗浄ノズル１４は、ケースプレート８とケースカバー１０との間の空間に収納された状態において、吐水部１５が有する全ての吐水孔から機能水を吐出することにより吐水部１５の部分を洗浄することができる（セルフクリーニング）。このとき、洗浄ノズル１４の吐水部１５の部分は、ノズル洗浄室４０の中に収容されている。そのため、吐水部１５から吐出された機能水は、ノズル洗浄室４０の内壁で反射して吐水部１５の部分にかかる。これにより、吐水部１５の部分は、ノズル洗浄室４０の内壁で反射した機能水によっても洗浄される。
【００４０】
セルフクリーニングに利用された機能水は、排出流路６０の一部を流れ、ボウル部排出用孔６２からボウル部２０へ排出される。つまり、セルフクリーニングに利用された機能水は、水受け部５２の排水口５６から排出された機能水が流れる排出流路６０の一部を流れる。その結果、排出流路６０の一部およびボウル部排出用孔６２は、セルフクリーニングを行った水により洗浄される。これにより、悪臭成分を捕集した機能水が乾いた後に排出流路６０およびボウル部排出用孔６２から臭いが発生することを防ぐことができ、使用者が不快感を感じることを防ぐことができる。
【００４１】
また、ボウル部排出用孔６２は、ノズル洗浄室４０を設置する位置に隣接しているため、脱臭フィルター４８の洗浄に用いた機能水のボウル部２０への排出位置は、セルフクリーニングおよび洗浄ノズル１４の胴体洗浄に用いた機能水のボウル部２０への排出位置と隣接する。このことにより、脱臭フィルター４８の洗浄に用いた機能水がボウル部２０に排出された際に、使用者が、衛生洗浄装置１の故障だと認識してしまうことを防ぐことができる。
【００４２】
（洗浄水供給装置１２及び脱臭装置１６の使用例について）
図９は、図４の脱臭装置の脱臭動作におけるタイミングチャートである。  
図９を用いて、洗浄水供給装置１２及び脱臭装置１６の使用例について説明する。
【００４３】
本発明の一実施形態に係る衛生洗浄装置１は、使用者のトイレルーム１００への入室を検知する人体検知センサ（図示せず）を有している。制御部１８は、時間帯毎における、人体検知センサの人体検知回数を記憶し、人体検知回数が一定値以下の時間帯だと判断した際には、その時間帯において、衛生洗浄装置１を「使用者入室時間帯モード」から「使用者非入室時間帯モード」に移行させる。制御部１８は、人体検知回数が一定値以下の時間帯を過ぎると、衛生洗浄装置１を「使用者非入室時間帯モード」から「使用者入室時間帯モード」に移行させる。
【００４４】
図９に示すように、「使用者非入室時間帯モード」から「使用者入室時間帯モード」に移行する１時間前において、噴霧部５０は、脱臭フィルター４８に機能水を噴霧する（タイミングｔ１）。このとき、噴霧部５０は、脱臭フィルター４８の最大保水量（例えば約１０ｇ程度）よりも多い機能水（例えば約１００ｇ程度の機能水）を噴霧するため、脱臭フィルター４８に残存していた悪臭成分を洗い流し、ボウル部排出用孔６２からボウル部２０へ排出する。噴霧部５０が脱臭フィルター４８に機能水を噴霧した時刻３時００分において、トイレルーム１００の臭気強度は、「２」である。なお、本発明の一実施形態における「臭気強度」とは、臭気の強さを表す度合いである。本実施形態において、臭気強度「２」とは、使用者が不快感を感じる臭いの強さである。臭気強度「１」とは、使用者が全く不快感を感じない臭いの強さである。
【００４５】
噴霧部５０が脱臭フィルター４８に機能水を噴霧すると、脱臭フィルター４８には、脱臭フィルター４８の最大保水量（例えば約１０ｇ程度）の機能水が保水される。噴霧部５０による脱臭フィルター４８への機能水の噴霧が終了すると、制御部１８は、ファン４６を作動させ、脱臭動作を開始させる（タイミングｔ１）。
【００４６】
ファン４６による脱臭動作は、脱臭フィルター４８が乾燥するまで行われる。なお、本発明の一実施形態において、水を吸収、即ち保水した脱臭フィルター４８の重さが、保水前の脱臭フィルター４８の重さに戻ったとき、脱臭フィルター４８は「乾燥」したと定義する。ファン４６から送られる空気によって、１０ｇの水を保水した脱臭フィルター４８が乾燥するのに要する時間は、室温２０度、湿度６０％の室内において、約１時間程度であり（タイミングｔ３）、室温４０度、湿度３０％の室内において、約３０分程度であり（タイミングｔ２）、室温５度、湿度６０％の室内において、約１時間３０分程度である（タイミングｔ４）。よって、本発明の一実施形態において、ファン４６による脱臭動作は、１時間３０分行われる。このように、本発明の一実施形態において、脱臭動作は、脱臭フィルター４８が乾燥するまで行われるため、脱臭フィルター４８は、脱臭動作が行われていないときには、乾燥している。よって、脱臭フィルター４８内に、黴などの菌が繁殖することを抑制できる。
【００４７】
ファン４６による脱臭動作が行われると、トイレルーム１００の臭気強度は「２」から「１」へと近づいていく。そして、一定時間、ファン４６による脱臭動作が行われることで、トイレルーム１００の臭気強度は「１」となり、使用者は、トイレルーム１００の臭いの面で、不快感を感じなくなる。このとき、脱臭フィルター４８の保水量は０ｇとなる。
【００４８】
図１０は、図４の脱臭装置の脱臭動作における他のタイミングチャートである。
図１０を用いて、洗浄水供給装置１２及び脱臭装置１６の使用例についてさらに説明する。
【００４９】
図１０に示すように、「使用者非入室時間帯モード」から「使用者入室時間帯モード」に移行する１時間前において、噴霧部５０は、脱臭フィルター４８に機能水を噴霧する（タイミングＴ１）。噴霧部５０が脱臭フィルター４８に機能水を噴霧した時刻３時００分において、トイレルーム１００の臭気強度は、「２」である。
【００５０】
噴霧部５０が脱臭フィルター４８に機能水を噴霧すると、ケースプレート８の排出流路６０に設けられたボウル部排出用孔６２から、ボウル部２０へ、機能水が排出される（タイミングＴ１）。また、噴霧部５０が脱臭フィルター４８に機能水を噴霧すると、ファン４６による脱臭動作が行われる。
【００５１】
噴霧部５０による脱臭フィルター４８への機能水の噴霧が終了すると、ボウル部排出用孔６２からの、ボウル部２０への機能水の排出が終了する（タイミングＴ２）。このとき、ノズル洗浄室４０は、洗浄ノズル１４の胴体洗浄を開始する（タイミングＴ２）。
【００５２】
脱臭フィルター４８の洗浄が終了してから所定時間経過後、ノズル洗浄室４０は、洗浄ノズル１４の胴体洗浄を終了させる（タイミングＴ３）。このように、脱臭フィルター４８の洗浄終了タイミングより、洗浄ノズル１４の胴体洗浄の終了タイミングを所定時間遅らせることで、悪臭成分が残存した機能水がボウル部排出用孔６２から排出されるまで、ボウル部排出用孔６２を洗浄ノズル１４の胴体洗浄に利用した機能水で洗浄する。よって、排出流路６０およびボウル部排出用孔６２が乾いて臭気源となることがなく、使用者が不快感を感じることを防ぐことができる。本発明の一実施形態において、この「所定時間」は、１分としているが、それに限らず、「所定時間」は、３０秒〜１０分が好ましい。
【００５３】
一定時間、ファン４６による脱臭動作が行われることで、トイレルーム１００の臭気強度は「１」となる。このとき、脱臭フィルター４８の保水量は０ｇとなる（タイミングＴ４）。
【００５４】
なお、図１０においては、ボウル部排出用孔６２を洗浄ノズル１４の胴体洗浄に利用した機能水で洗浄するものであったが、それに限らず、ボウル部排出用孔６２を、洗浄ノズル１４のセルフクリーニングに利用した機能水で洗浄するものであっても良い。
【００５５】
以上のことより、本実施形態の衛生洗浄装置１によれば、脱臭フィルター４８に供給された水によって、ファン４６によって吸引又は排出されたトイレルーム１００内の空気に含まれる悪臭成分を捕集できる。また、脱臭フィルター４８を洗浄した水が排出される排出流路６０を、噴霧部５０とは別のノズル洗浄室４０から排出された水によって、洗浄することができる。よって、トイレルーム１００内に常在する臭気を吸引すること、且つ、水が乾燥した排出流路６０の出口部分から臭いが発生することを防ぐこと、ができ、使用者が不快感を感じることを防ぐことができる衛生洗浄装置１を提供できる。
【００５６】
（変形例について）
以上、本発明の一実施形態について説明した。しかし、本発明はこれらの記述に限定されるものではない。
【００５７】
本発明の一実施形態において、トイレルーム１００の脱臭動作、及び、洗浄ノズル１４の胴体洗浄に、機能水を利用したが、それに限らず、水やアルコールなど、液体であれば良い。
【００５８】
本発明の一実施形態において、脱臭フィルター４８は、ファン４６によって排出された空気が通過するものであったが、それに限らず、ファン４６によって吸引された空気が通過するものであっても良い。つまり、脱臭フィルター４８は、ファン４６の下流側に設けられることに限定されず、ファン４６の上流側に設けられてもよい。ただし、ファン４６は電子機器であることから、湿気を含んだ空気が送られることを防ぐ必要がある。このため、機能水が噴霧される脱臭フィルター４８は、ファン４６によって排出された空気が通過するもの、即ちファン４６より下流側に位置するものであることが好ましい。
【００５９】
本発明の一実施形態において、人体検知センサは、使用者のトイレルーム１００への入室を検知するセンサとしたが、それに限らず、例えば、大便器２の前方に立った使用者を検知するセンサであったり、使用者の着座を検知するセンサであっても良い。
【００６０】
本発明の一実施形態において、脱臭動作は、「使用者非入室時間帯モード」から「使用者入室時間帯モード」に移行する１時間前に、自動で行われるものであったが、それに限らず、夜中など決まった時間に、定期的に行われるものであっても良い。また、一定時間、衛生洗浄装置１が使用されていなかったり、人体検知センサが使用者のトイレルーム１００への入室を検知しなかった際に、脱臭動作が行われるものであっても良い。さらに、脱臭動作は、自動で行われるものに限らず、スイッチ操作などによって、手動で行われるものであっても良い。
【００６１】
本発明の一実施形態において、ファン４６による脱臭動作は、１時間行われるものであったが、本発明はそれに限らない。例えば、脱臭動作は、３０分以上行われるものであっても良い。また、脱臭動作は、脱臭フィルター４８が乾燥するまで行われるものであっても良い。
【００６２】
本発明の一実施形態において、ボウル部排出用孔６２からボウル部２０への機能水の排出が終了する時間（時刻４時００分）に、ノズル洗浄室４０は、洗浄ノズル１４の胴体洗浄を開始する。しかし、それに限らず、噴霧部５０によって脱臭フィルター４８の洗浄が開始されると同時に、ノズル洗浄室４０は、洗浄ノズル１４の胴体洗浄を開始し、胴体洗浄に利用した機能水をボウル部２０へ排出しても良い。このように、脱臭フィルター４８の洗浄のタイミングと、洗浄ノズル１４の胴体洗浄のタイミングと、を一致させることで、悪臭成分が残存した機能水が付着した排出流路６０の一部およびボウル部排出用孔６２を乾燥前に洗浄することができる。その結果、排出流路６０およびボウル部排出用孔６２に付着した機能水が乾いて臭いが発生する前に、洗浄ノズル１４の胴体洗浄に利用した機能水で洗浄できる。よって、排出流路６０およびボウル部排出用孔６２が乾いて臭いが発生することがなく、使用者が不快感を感じることを防ぐことができる。
【００６３】
本発明の一実施形態において、ファン４６による脱臭動作が行われる際には、脱臭フィルター４８の洗浄、及び、乾燥が行われるものであったが、それに限らない。即ち、ファン４６による脱臭動作が行われる際に、脱臭フィルター４８の洗浄、又は、乾燥、もしくは、その両方が、行われなくとも良い。このとき、脱臭動作を行う際には、噴霧部５０は、脱臭フィルター４８に、脱臭フィルター４８の最大保水量（例えば約１０ｇ程度）以下の量の機能水を噴霧する。
【００６４】
前述の実施の形態に関して、当業者が適宜設計変更を加えたものも、本発明の特徴を備えている限り、本発明の範囲に包含される。例えば、衛生洗浄装置１などが備える各要素の形状、寸法、材質、配置などや衛生洗浄装置１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１ 衛生洗浄装置、  ２ 大便器、  ４ 便蓋、  ６ 機能部、  ８ ケースプレート、  １０ ケースカバー、  １２ 洗浄水供給装置、  １４ 洗浄ノズル、  １５、４１ 吐水部（第２吐水部）、  １５ａ 洗浄吐水孔、  １５ｂ ソフト吐水孔、  １５ｃ ビデ洗浄吐水孔、  １５ｄ ワイドビデ洗浄吐水孔、  １６ 脱臭装置、  １８ 制御部、  ２０ ボウル部、  ２２ 排気口部、  ２４ 流路開閉弁、  ２６ 熱交換器、  ２８ 電解槽、  ３０ バキュームブレーカー、  ３２ 第１流路、  ３４ 第２流路、  ３６ 電磁ポンプ、  ３８ 流調・流路切替弁、  ４０ ノズル洗浄室（胴体洗浄部）、  ４２ 吸気口、  ４４ 集塵フィルター、  ４６ ファン（送風部）、  ４８ 脱臭フィルター、  ５０ 噴霧部（第１吐水部）、  ５２ 水受け部、  ５４ 排気口、  ５６ 排水口、  ５８ リブ、  ６０ 排出流路、  ６２ ボウル部排出用孔、  ６４ 立壁部、  １００ トイレルーム
【図１】
0006515461.tif 000002
【図２】
0006515461.tif 000003
【図３】
0006515461.tif 000004
【図４】
0006515461.tif 000005
【図５】
0006515461.tif 000006
【図６】
0006515461.tif 000007
【図７】
0006515461.tif 000008
【図８】
0006515461.tif 000009
【図９】
0006515461.tif 000010
【図１０】
0006515461.tif 000011